(57)【要約】      （修正有）【課題】ケース本体にストラップを簡単に取り付けることができると共に、製造コストを抑えることのできるスマートフォンケースを提供する。【解決手段】スマートフォンケース１は、スマートフォンを着脱自在に装着する合成樹脂製のケース本体１０と、このケース本体１０に取り付けられるストラップ２０とを備えている。ケース本体１０は、スマートフォンの背面（ディスプレイ面と反対の面）を覆う背面部１１と、この背面部１１の周縁部から背面部１１の厚み方向に張り出して、スマートフォンの周面部を覆うと共にスマートフォンを保持する周枠部１２と、周枠部１２におけるスマートフォンの下部に対応する部分から下方に突出する、ストラップ２０を通す環状の取付部１３、１３とを備えており、左右一対の取付部１３、１３は周枠部１２に一体成形されている。【選択図】図１
0003230281.tif 000002
【実用新案登録請求の範囲】
【請求項１】
スマートフォンを首または肩から吊り下げて持ち運ぶことができるスマートフォンケースであって、
スマートフォンを着脱自在に装着する合成樹脂製のケース本体と、
前記ケース本体に取り付けられるストラップと
を備え、
前記ケース本体には、前記ストラップを取り付ける環状の取付部が一体成形されていることを特徴とするスマートフォンケース。
【考案の詳細な説明】
【技術分野】
【０００１】
この考案は、スマートフォンを首や肩から吊り下げて持ち運ぶことができるスマートフォンケースに関する。
【背景技術】
【０００２】
この種のスマートフォンケースとしては、例えば、特許文献１に開示されたものがある。図５に示すように、このスマートフォンケース５０は、スマートフォンを収容する合成樹脂製のケース本体５１と、このケース本体５１に連結されるストラップ５３とから構成されており、ケース本体５１には一対の連結金具５２が取り付けられていると共に、ストラップ５３の両端部にはケース本体５１の連結金具５２に引っ掛けるナスカン等のフック金具５４が取り付けられている。
【先行技術文献】
【特許文献】
【０００３】
【特許文献１】実用新案登録第３２２６１４２号公報
【考案の概要】
【考案が解決しようとする課題】
【０００４】
ところで、合成樹脂製のケース本体５１に金属製の連結金具５２を取り付けるには、例えば、ケース本体５１に穴を開けておき、ケース本体５１の内側から穴を通したねじを連結金具５２にねじ込むことで取り付けるといった方法を採用しなければならないので、連結金具５２の取付作業が煩雑であると共に、部品点数が多くなり、コストアップに繋がるといった問題がある。
【０００５】
そこで、この考案の課題は、ケース本体にストラップを簡単に取り付けることができると共に、製造コストを抑えることのできるスマートフォンケースを提供することにある。
【課題を解決するための手段】
【０００６】
上記の課題を解決するため、請求項１に係る考案は、スマートフォンを首または肩から吊り下げて持ち運ぶことができるスマートフォンケースであって、スマートフォンを着脱自在に装着する合成樹脂製のケース本体と、前記ケース本体に取り付けられるストラップとを備え、前記ケース本体には、前記ストラップを取り付ける環状の取付部が一体成形されていることを特徴とするスマートフォンケースを提供するものである。
【考案の効果】
【０００７】
以上のように、請求項１に係る考案のスマートフォンケースでは、ストラップを取り付ける環状の取付部がケース本体に一体成形されているので、従来のスマートフォンケースのように、ストラップの連結金具を合成樹脂製のケース本体に取り付ける必要がなく、煩雑な連結金具の取付工程を省略することができると共に、部品点数も少なくなってコストダウンを図ることができる。
【図面の簡単な説明】
【０００８】
【図１】（ａ）はこの考案に係るスマートフォンケースの一実施形態の吊下状態を示す部分正面図、（ｂ）は同上のスマートフォンケースの吊下状態を示す部分右側面図である。
【図２】（ａ）は同上のスマートフォンケースを構成しているケース本体を正面側から視た斜視図、（ｂ）は同上のケース本体を背面側から視た斜視図である。
【図３】（ａ）は同上のケース本体を示す正面図、（ｂ）は同上のケース本体を示す左側面図、（ｃ）は同上のケース本体を示す右側面図、（ｄ）は同上のケース本体を示す底面図である。
【図４】同上のスマートフォンケースを構成しているストラップを示す図である。
【図５】（ａ）は従来のスマートフォンケースを示す正面図、（ｂ）は同上のスマートフォンケースを示す右側面図である。
【考案を実施するための形態】
【０００９】
以下、実施の形態について図面を参照して説明する。図１は、スマートフォンを首または肩から吊り下げて持ち運ぶことができるスマートフォンケース１を示している。このスマートフォンケース１は、同図に示すように、スマートフォンを着脱自在に装着する合成樹脂製のケース本体１０と、このケース本体１０に取り付けられるストラップ２０とを備えている。
【００１０】
前記ケース本体１０は、図２（ａ）、（ｂ）及び図３（ａ）〜（ｄ）に示すように、スマートフォンの背面（ディスプレイ面と反対の面）を覆う背面部１１と、この背面部１１の周縁部から背面部１１の厚み方向に張り出して、スマートフォンの周面部を覆うと共にスマートフォンを保持する周枠部１２と、周枠部１２におけるスマートフォンの下部に対応する部分から下方に突出する、ストラップ２０を通す環状の取付部１３、１３とを備えており、左右一対の取付部１３、１３は周枠部１２に一体成形されている。
【００１１】
前記背面部１１は、スマートフォンに搭載されたカメラ等を露出させる開口部１１ａと、内部空間が密閉された二重壁構造部１１ｂとを有しており、二重壁構造部１１ｂの内部空間には、化粧水と共に砂等の装飾体が移動可能に封入されている。
【００１２】
前記ストラップ２０は、図４に示すように、ケース本体１０の環状の取付部１３、１３に挿通される丸紐２１と、丸紐２１を左右一対の取付部１３、１３に挿通した状態で、その両端部に取り付けられた抜止金具２２と、左右一対の取付部１３、１３からそれぞれ外側に伸び出した左右の丸紐２１をスライド可能に結束する結束金具２３とを備えており、結束金具２３をスライドさせることによって、首や肩に掛けたときのケース本体１０の吊下位置を調整することができるようになっている。
【００１３】
以上のように、このスマートフォンケース１では、ストラップ２０の丸紐２１を通す環状の取付部１３、１３がケース本体１０の周枠部１２に一体成形されているので、従来のスマートフォンケースのように、ストラップの連結金具を合成樹脂製のケース本体に取り付ける必要がなく、煩雑な連結金具の取付工程を省略することができると共に、部品点数も少なくなってコストダウンを図ることができる。
【００１４】
なお、上述した実施形態では、ストラップ２０の丸紐２１をケース本体１０の環状の取付部１３、１３に挿通することで、ストラップ２０をケース本体１０に取り付けるようにしているが、これに限定されるものではなく、両端部にナスカン等のフック金具が取り付けられたストラップを、ケース本体の周枠部に一体成形された環状の取付部に引っ掛けて取り付けるようにしてもよい。
【００１５】
また、上述した実施形態では、背面部１１の全周にわたって連続的に周枠部１２が形成されたケース本体１０を採用しているが、周枠部は環状のものに限定されるものではなく、全周の一部が分断されていてもよい。
【００１６】
また、上述した実施形態では、ケース本体１０が、二重壁構造部１１ｂの内部空間に砂等の装飾体が移動可能に封入された背面部１１を有しているが、これに限定されるものではなく、背面部が１枚の板状部によって形成されているものであってもよいことはいうまでもない。
【産業上の利用可能性】
【００１７】
本考案は、スマートフォンを首や肩から吊り下げて持ち運ぶことができるスマートフォンケースに利用することができる。
【符号の説明】
【００１８】
１  スマートフォンケース
１０  ケース本体
１１  背面部
１１ａ  開口部
１１ｂ  二重壁構造部
１２  周枠部
１３  取付部
２０  ストラップ
２１  丸紐
２２  抜止金具
２３  結束金具
【図１】
0003230281.tif 000003
【図２】
0003230281.tif 000004
【図３】
0003230281.tif 000005
【図４】
0003230281.tif 000006
【図５】
0003230281.tif 000007